(57)【要約】      （修正有）【課題】送気ポンプにより発生した気泡の浮力を利用して、水槽内の水を確実に循環させることが可能な水循環型観賞用水槽を提供する。【解決手段】水槽本体１０と、送気兼通水管２０と、送気ポンプ３０と、から成る水循環型観賞用水槽１であって、水槽本体は、底面１２及び壁面１４を備え所要高さを有して上方が開口されて透明若しくは半透明素材により成形される。送気兼通水管は、上端から下端まで貫通した中空路２２を備えると共に水槽本体の高さよりも縮長した高さを有して透明若しくは半透明素材により成形され、送気ポンプは、ポンプ本体に所要長さの送気チューブ３４が接続されて成り、水槽本体内における平面視略中央箇所に、下端部が通水可能な状態で送気兼通水管を立設すると共に、送気ポンプにおける送気チューブの先端が水槽本体の底面略中央箇所に配置される。【選択図】図１
0003185232.tif 000002
【実用新案登録請求の範囲】
【請求項１】
水槽本体と、送気兼通水管と、送気ポンプと、から成る観賞用水槽であって、
前記水槽本体は、底面及び壁面を備え所要高さを有して上方が開口されて透明若しくは半透明素材により成形されて成り、
前記送気兼通水管は、上端から下端まで貫通した中空路を備えると共に前記水槽本体の高さよりも縮長した高さを有して透明若しくは半透明素材により成形されて成り、
前記送気ポンプは、ポンプ本体に所要長さの送気チューブが接続されて成り、
前記水槽本体内における平面視略中央箇所に、下端部が通水可能な状態で前記送気兼通水管を立設すると共に、前記送気ポンプにおける送気チューブの先端が水槽本体の底面略中央箇所に配置されて成ることを特徴とする水循環型観賞用水槽。
【請求項２】
前記水循環型観賞用水槽において、前記送気兼通水管の外周所定高さ位置に、少なくとも一以上の棚部が備えられていることを特徴とする請求項１に記載の水循環型観賞用水槽。
【請求項３】
前記水循環型観賞用水槽において、前記送気兼通水管の下端に、気泡受け部が備えられていることを特徴とする請求項１または請求項２に記載の水循環型観賞用水槽。
【請求項４】
前記水循環型観賞用水槽において、前記水槽本体内における壁面所定高さ位置に載置用突片が備えられ、該載置用突片に前記棚部が載架されることで、前記送気兼通水管の下端が水槽本体の底面から所定間隔を置いて上方に位置した状態となって該送気兼通水管の下端が通水可能となっていることを特徴とする請求項２または請求項３に記載の水循環型観賞用水槽。
【請求項５】
前記水循環型観賞用水槽において、前記送気兼通水管の下端部に中空路まで貫通する通水用孔若しくは通水用スリットが備えられ、前記水槽本体の底面略中央箇所に下端を当接させた状態で送気兼通水管を立設することで、前記通水用孔若しくは通水用スリットを介して送気兼通水管の下端部が通水可能となっていることを特徴とする請求項１から請求項３のいずれか記載の水循環型観賞用水槽。
【請求項６】
前記水循環型観賞用水槽において、前記水槽本体の下方に中空部を有する台座部を設け、該中空部内に送気ポンプが内蔵されて成ることを特徴とする請求項１から請求項５のいずれか記載の水循環型観賞用水槽。
【考案の詳細な説明】
【技術分野】
【０００１】
本考案は、観賞用水槽に関し、詳しくは、気泡の浮力を利用して水槽内の水を循環させる観賞用水槽に関するものである。
【背景技術】
【０００２】
金魚やメダカなどの観賞魚を飼育すべく、観賞用水槽が用いられている。従来の観賞用水槽としては、ガラスやプラスチックで成形された一槽式の水槽が用いられており、該水槽内には前記観賞魚のほか、本物若しくは疑似的に作られた水草や石などが入れられ、できるだけ自然に近い疑似的な水の世界を創出して、観賞する者に癒しを与えたりしている。
【０００３】
このように水槽内で観賞魚を飼育する場合において、水槽内の水の酸素濃度が少なくなったりするため、空気を水槽内に送るための送気ポンプが取り付けられ、水に気泡を発生させて、水に酸素を取り込むことが行われている。
【０００４】
一方、水槽内の水は、通常循環されることがなく、水槽内の特に隅の方で淀みが発生し、観賞魚の糞などの浮遊ゴミによる水の汚れを招くと共に、水槽壁面への藻の付着を招くこととなるため、定期的に水槽内の水を入れ替えたり、水循環式フィルターを用いて除去したりする必要があった。しかしながら、観賞魚は水道水のカルキに弱いため、水を入れ替える場合はカルキ抜きを行う必要があって、大変手間のかかる作業を要するものであった。また、水循環式フィルターは高価であって、定期的にフィルターの交換・清掃が必要であって、やはり手間を要するものであった。
【０００５】
上記した水槽内の水の循環に関する問題を解決すべく、特開２００４−５６３号公報（特許文献１）に記載されているような「観賞用水槽」が提案されている。該提案は、貯水槽、送水管、気泡発生部材を備えた観賞用水槽であって、前記貯水槽は入水口及び孔部を備え、前記孔部は貯水槽から前記孔部を介する液体の流れにより前記観賞用水槽内に対流を発生することが可能なように備えられ、前記貯水槽は観賞用水槽の上方向に設置され、前記送水管は、一端が貯水槽の入水口に取付けられ、かつ、他端が観賞用水槽内に液体を入れた際に液中となるように観賞用水槽内に設置され、気泡発生部材が前記送水管の前記他端の周辺部において前記送水管内部に気泡を導入可能に設置されている構造を採用するものである。
【０００６】
上記特許文献１記載の観賞用水槽によれば、送水管を介して気泡の浮力により観賞用水槽の上方向に設置された貯水槽へ水を汲み上げるものであるが、水槽内の水面より上方に設置されている貯水槽まで気泡の浮力のみで送水できるか否かが疑問であると共に、貯水槽から孔部を介して落水するだけで水槽内の水に対流が発生するか否かも疑問であって、実現性に難がある提案であった。
【０００７】
【特許文献１】特開２００４−５６３号公報
【考案の開示】
【考案が解決しようとする課題】
【０００８】
そこで本考案は、上記問題点に鑑み、送気ポンプにより発生した気泡の浮力を利用して、水槽内の水を確実に循環させることが可能な観賞用水槽を提供することを課題とするものである。
【課題を解決するための手段】
【０００９】
上記課題を解決するため、本考案にかかる水循環型観賞用水槽は、水槽本体と、送気兼通水管と、送気ポンプと、から成る観賞用水槽であって、前記水槽本体は、底面及び壁面を備え所要高さを有して上方が開口されて透明若しくは半透明素材により成形されて成り、前記送気兼通水管は、上端から下端まで貫通した中空路を備えると共に前記水槽本体の高さよりも縮長した高さを有して透明若しくは半透明素材により成形されて成り、前記送気ポンプは、ポンプ本体に所要長さの送気チューブが接続されて成り、前記水槽本体内における平面視略中央箇所に、下端部が通水可能な状態で前記送気兼通水管を立設すると共に、前記送気ポンプにおける送気チューブの先端が水槽本体の底面略中央箇所に配置された構成となっている。
【００１０】
また、本考案は、前記水循環型観賞用水槽において、前記送気兼通水管の外周所定高さ位置に、少なくとも一以上の棚部が備えられている構成となっている。
【００１１】
さらに、本考案は、前記水循環型観賞用水槽において、前記送気兼通水管の下端に、気泡受け部が備えられている構成となっている。
【００１２】
またさらに、本考案は、前記水循環型観賞用水槽において、前記水槽本体内における壁面所定高さ位置に載置用突片が備えられ、該載置用突片に前記棚部が載架されることで、前記送気兼通水管の下端が水槽本体の底面から所定間隔を置いて上方に位置した状態となって該送気兼通水管の下端が通水可能となっている構成を採用し得る。
【００１３】
そしてまた、本考案は、前記水循環型観賞用水槽において、前記送気兼通水管の下端部に中空路まで貫通する通水用孔若しくは通水用スリットが備えられ、前記水槽本体の底面略中央箇所に下端を当接させた状態で送気兼通水管を立設することで、前記通水用孔若しくは通水用スリットを介して送気兼通水管の下端部が通水可能となっている構成とすることもできる。
【００１４】
またさらに、本考案は、前記水循環型観賞用水槽において、前記水槽本体の下方に中空部を有する台座部を設け、該中空部内に送気ポンプが内蔵された構成を採ることもできる。
【考案の効果】
【００１５】
本考案にかかる水循環型観賞用水槽によれば、送気ポンプにより発生した気泡の浮力により、送気兼通水管の中空路内を該気泡と共に水槽内の水が下から上方へ押し上げられつつ通水することとなって、水槽内の水が確実に循環されるといった、優れた効果を奏するものである。
【００１６】
また、本考案にかかる水循環型観賞用水槽によれば、水が常時循環されていることで、水の淀みがなく水槽面に汚れが付着しにくく、見た目に水が常に清潔を保つことが可能であると共に、自然界のバクテリアが繁殖しやすい環境であって、観賞魚の糞など水槽内の浮遊ゴミが該バクテリアによって綺麗に分解されるため、従来のように汚れを除去するためのフィルターが不要となる。
【００１７】
さらに、本考案にかかる水循環型観賞用水槽によれば、水槽の上方を開放した状態にしておくことで、空気中の塵や埃が水槽内に入り込んでも同様にバクテリアが分解してくれるため、空気清浄効果を奏すると共に、水槽内の水が自然に空気中へ蒸発することとなって、室内等の加湿効果も奏することとなる。
【図面の簡単な説明】
【００１８】
【図１】本考案にかかる水循環型観賞用水槽の実施形態を示す斜視図である。（実施例１）
【図２】本考案にかかる水循環型観賞用水槽の実施形態を示す側断面図である。
【図３】本考案にかかる水循環型観賞用水槽の実施形態を示す斜視図である。（実施例２）
【図４】本考案にかかる水循環型観賞用水槽の実施形態を示す側断面図である。
【考案を実施するための形態】
【００１９】
本考案は、水槽本体１０内に中空路２２を有する送気兼通水管２０を立設し、送気ポンプ３０により発生した気泡Ａの浮力を利用して、水槽内の水Ｗを中空路２２を介して循環させることを最大の特徴とする。以下、本考案にかかる水循環型観賞用水槽１の実施形態を、図面に基づき説明する。
【００２０】
なお、本考案は、下記の実施形態に示した構成・態様に限定されるものではなく、本考案の技術的思想の要旨に逸脱しない範囲で、任意に変更することができるものである。
【実施例１】
【００２１】
図１及び図２は、本考案にかかる水循環型観賞用水槽１の第一の実施形態を示しており、図１は斜視図、図２は側断面図である。
すなわち、本実施例にかかる水循環型観賞用水槽１は、水槽本体１０と、送気兼通水管２０と、送気ポンプ３０と、から構成されている。
【００２２】
水槽本体１０は、底面１２及び壁面１４を備え、所要高さを有して、上方が開口された構造となっている。該水槽本体１０の開口された上端には、図面に示すように、必要に応じて蓋体１８が備えられる。
水槽本体１０の平面視形状については、特に限定はなく、壁面１４が曲面状に成形された円筒形状や、壁面１４が複数の平面から成る多角筒形状が考え得る。なお図面では、水槽本体１０の平面視形状について、側壁が曲面状の円筒形状とした場合について示している。
水槽本体１０の材質については、透明若しくは半透明素材により成形されていれば特に限定はなく、プラスチックなどの合成樹脂やガラスなどにより成形されている。
【００２３】
送気兼通水管２０は、上端２５から下端２４まで貫通した中空路２２を備えると共に、前記水槽本体１０の高さよりも縮長した高さを有した構造となっている。
送気兼通水管２０の平面視形状については、特に限定はなく、円筒形状や多角筒形状が考え得る。なお図面では、送気兼通水管２０の平面視形状について、円筒形状の場合について示している。
送気兼通水管２０の材質については、透明若しくは半透明素材により成形されていれば特に限定はなく、プラスチックなどの合成樹脂やガラスなどにより成形されている。
【００２４】
該送気兼通水管２０の外周所定高さ位置には、図面に示すように、必要に応じて一乃至複数の棚部２６が備えられ、該棚部２６上に玉石や疑似水草が載置されるなど、水槽装飾に使用される。該棚部２６は、平面視において水槽本体１０よりも縮径された大きさとし、水槽本体１０の壁面１４と棚部２６の周縁との間に通水可能な隙間を有するように成形される。なお図面では、送気兼通水管２０に二つの棚部２６が備えられた場合について示している。
【００２５】
また、該送気兼通水管２０の下端２４には、図面に示すように、気泡受け部２７が備える態様が考え得る。すなわち、該気泡受け部２７は、後述する送気ポンプ３０により水槽本体１０内に吐出された気泡Ａについて、送気兼通水管２０の下端２４から中空路２２内へ確実に誘導すべく、備えられるものである。かかる態様を採用することにより、送気ポンプ３０から水槽本体１０内に吐出された気泡Ａを中空路２２内へ確実に誘導可能であって、該気泡Ａが該中空路２２から外れて、循環水流に逆流する状態で、送気兼通水管２０の外側を浮上するのを防止することが可能となる。
【００２６】
該送気兼通水管２０は、前記水槽本体１０内における平面視略中央箇所に立設される。その際、送気兼通水管２０の上端２５は、水槽本体１０の上端高さ位置よりも低い高さに位置することとなる。また、送気兼通水管２０の下端部２４は通水可能な状態に立設され、水槽本体１０内の水Ｗが送気兼通水管２０の中空路２２内へ送水可能となっている。
【００２７】
かかる送気兼通水管２０について、下端部２４が通水可能な状態に立設するための構造については、図面に示すように、水槽本体１０内における壁面１４の所定高さ位置に載置用突片１６を備え、該載置用突片１６に前記棚部２６を載架する態様が考え得る。すなわち、載置用突片１６を備える高さ（水槽本体１０における底面１２から載置用突片１６までの高さ）を、棚部２６を備える高さ（送気兼通水管２０における下端２４から棚部２６までの高さ）より長くすることで、送気兼通水管２０の下端２４が水槽本体１０の底面１２から所定間隔を置いて上方に位置した状態となって、該送気兼通水管２０の下端２４が通水可能となる。
【００２８】
送気ポンプ３０は、ポンプ本体３２に所要長さの送気チューブ３４が接続されて成り、電源スイッチをＯＮにすることでポンプ本体３２により吸い込まれた空気が、送気チューブ３４を介してその先端３６から吐出されるものである。
【００２９】
送気ポンプ３０における送気チューブ３４の先端３６は、前記水槽本体１０の底面１２における略中央箇所に配置される。これにより、水槽本体１０の底面１２略中央箇所から、気泡Ａが吐出されることとなる。
【００３０】
ところで、前記水槽本体１０の下方に台座部４０を設け、該台座部４０内に前記送気ポンプ３０を内蔵させる態様が考え得る。すなわち、図示されたように、中空部４２を有する台座部４０の該中空部４２内に、前記送気ポンプ３０を収納する態様である。かかる態様を採用することにより、外部からの美観を奏することとなる。なお、かかる台座４０は本考案の任意構成要素であり、図３及び図４に示すように、該台座４０がない本考案の構成態様も可能である。
【００３１】
以上の通り構成される本実施例にかかる水循環型観賞用水槽１について、その使用態様は次の通りとなる。すなわち、送気ポンプ３０を作動させることで、送気チューブ３４の先端３６から水槽本体１０内に気泡Ａが吐出される。吐出された気泡Ａは、送気兼通水管２０の中空路２２に進入し、自らの浮力により該中空路２２内を上昇する。このとき、気泡Ａの浮力上昇に伴い、中空路２２内の水Ｗも上方に押し上げられると共に、水槽本体１０内の水Ｗが送気兼通水管２０の下端２４から中空路２２内へ引き込まれることとなる。押し上げられた水Ｗは、送気兼通水管２０の上端２５から気泡Ａと共に吐出されて、水槽本体１０内に戻ることとなる。このように、水槽本体１０内の水Ｗは、図面で示す矢印の通り循環されることとなる。
【実施例２】
【００３２】
図３及び図４は、本考案にかかる水循環型観賞用水槽１の第二の実施形態を示しており、図３は斜視図、図４は側断面図である。
本実施例にかかる水循環型観賞用水槽１は、水槽本体１０における送気兼通水管２０の立設構造について、上記第一の実施例と異なるものである。
【００３３】
すなわち、本実施例にかかる送気兼通水管２０について、下端部２４が通水可能な状態に立設するための構造は、図面に示すように、該送気兼通水管２０の下端部２４に中空路２２まで貫通する通水用孔若しくは通水用スリット２８を備え、前記水槽本体１０の底面１２略中央箇所に下端２４を当接させた状態で送気兼通水管２０を立設する態様を採用している。このように、送気兼通水管２０の下端部２４に通水用孔若しくは通水用スリット２８を備えることで、該通水用孔若しくは通水用スリット２８を介して送気兼通水管２０の下端部２４が通水可能となっている。
【００３４】
なお、通水用孔２８の大きさや数、通水用スリット２８の数やスリット幅・長さなどについては、特に限定するものではなく、水槽本体１０内の水Ｗの循環性・通水性などを考慮して適宜決定される。
【産業上の利用可能性】
【００３５】
本考案は、水槽本体１０内の水Ｗを機械的に循環するのではなく、酸素を取り込むために設けられる送気ポンプ３０から吐出される気泡Ａの浮力を利用して、水槽本体１０内の水Ｗを確実に循環させることが可能あって、機械構造の簡素化・水質浄化といった優れた作用効果を発揮することができるものである。したがって、本考案にかかる水循環型観賞用水槽１の産業上の利用可能性は大である。
【符号の説明】
【００３６】
１    水循環型観賞用水槽
１０    水槽本体
１２    底面
１４    壁面
１６    載置用突片
１８    蓋体
２０    送気兼通水管
２２    中空路
２４    下端（部）
２５    上端
２６    棚部
２７    気泡受け部
２８    通水用孔・通水用スリット
３０    送気ポンプ
３２    ポンプ本体
３４    送気チューブ
３６    先端
４０    台座部
４２    中空部
Ａ    気泡
Ｗ    水
【図１】
0003185232.tif 000003
【図２】
0003185232.tif 000004
【図３】
0003185232.tif 000005
【図４】
0003185232.tif 000006